(57)【特許請求の範囲】
【請求項１】
エンジンに接続される入力軸と、回転電機と、
前記回転電機に接続される第一回転要素と、前記入力軸に接続される第二回転要素と、出力回転要素となる第三回転要素と、を備える差動歯車装置と、
前記回転電機の制御を行う制御装置と、
前記出力回転要素に接続される入力ギヤを備え、当該入力ギヤの回転駆動力を出力軸へ伝達する駆動出力装置と、を備えた駆動装置であって、
前記回転電機及び前記差動歯車装置の一方又は双方を、前記入力軸と同軸上に配置される入力同軸部品として備え、
前記入力ギヤの回転軸が、前記入力軸よりも下方に配置され、
前記制御装置を構成する第一構成部品が、前記入力同軸部品よりも下方であって、かつ、前記入力ギヤの回転軸方向から見た軸方向視で、前記第一構成部品の少なくとも一部が前記入力ギヤと重複する位置に配置されている駆動装置。
【請求項２】
前記入力ギヤが、前記駆動出力装置の軸方向中心部に対して前記第一構成部品とは反対側に配置されている請求項１に記載の駆動装置。
【請求項３】
前記回転電機を第一回転電機とするとともに、第二回転電機を更に備え、
前記第一回転電機と前記第二回転電機とが、互いに異なる軸上において軸方向に重複して配置され、
前記第一構成部品が、前記第一回転電機よりも下方であって、かつ、鉛直上方から見た平面視で少なくとも前記第一構成部品の一部が前記第一回転電機と重複する位置に配置されている請求項１又は２に記載の駆動装置。
【請求項４】
前記差動歯車装置の前記出力回転要素に接続されるカウンタドリブンギヤと、前記入力ギヤに接続されるファイナルドライブギヤと、を連結するとともに前記入力軸と平行に配置されるカウンタシャフトを備え、
前記エンジン側から、前記入力軸、前記差動歯車装置、前記第一回転電機の順に配置され、
前記ファイナルドライブギヤが、前記カウンタドリブンギヤよりも前記エンジン側に配置されている請求項３に記載の駆動装置。
【請求項５】
前記第二回転電機の回転軸が、前記入力軸よりも上方であって、かつ、前記入力軸を通る鉛直面に対して前記出力軸と同じ側に配置されている請求項３又は４に記載の駆動装置。
【請求項６】
前記制御装置は、直流電力と交流電力との間の変換を行うインバータユニットを前記第一構成部品として含み、
前記制御装置を構成する前記インバータユニットとは異なる第二構成部品の少なくとも一部が、上下方向で前記第一回転電機と重複して配置されている請求項３から５のいずれか一項に記載の駆動装置。
【請求項７】
前記インバータユニットにおける前記第一回転電機と接続するための接続端子が、略水平方向に延出するように設置されている請求項６に記載の駆動装置。
【請求項８】
前記インバータユニットにおける前記第一回転電機と接続するための接続端子と、前記第一回転電機における前記インバータユニットと接続するための接続端子とが、軸方向で前記入力軸とは反対側に設置されている請求項７に記載の駆動装置。
【請求項９】
互いに液密状に隔離された第一室と第二室とを有するケースを備え、
前記第一室に前記回転電機、前記差動歯車装置及び前記駆動出力装置を収容し、
前記第二室に前記制御装置を収容してなる請求項１から８のいずれか一項に記載の駆動装置。
【発明の詳細な説明】
【技術分野】
【０００１】
本発明は、エンジンに接続される入力軸と、回転電機と、前記回転電機に接続される第一回転要素と、前記入力軸に接続される第二回転要素と、出力回転要素となる第三回転要素と、を備える差動歯車装置と、前記回転電機の制御を行う制御装置と、前記出力回転要素に接続される入力ギヤを備え、当該入力ギヤの回転駆動力を出力軸へ伝達する駆動出力装置と、を備えた駆動装置に関する。
【背景技術】
【０００２】
近年、車両の駆動源としてエンジン及びモータやジェネレータ等の回転電機を備えた、いわゆるハイブリッド車が燃費、環境保護等の点から注目を集めている。このようなハイブリッド車両用の駆動装置は、回転電機の制御を行う制御装置を必要とする。そして、組み合わせて動作されるこれらの回転電機及び制御装置は、パワーケーブル等の接続部材で接続されるため、車載上の便宜性の観点からは一つのケース内に一体化してしまうことが望ましい。例えば下記の特許文献１には、回転電機や差動歯車装置等を収容する駆動装置ケースの上部に、制御装置を収容するインバータケースが一体的に設けられた駆動装置の構成が開示されている。また、下記の特許文献２には、回転電機や差動歯車装置等を収容する駆動装置ケース内に、更に制御装置を構成するインバータユニットやリアクトル、コンデンサ等の制御装置構成部品を収容した駆動装置の構成が開示されている。
【０００３】
【特許文献１】特開２００４−３４３８４５号公報（段落００２２、図１）
【特許文献２】特開２００７−１２４７６４号公報（段落００６３、図３、４及び７）
【発明の開示】
【発明が解決しようとする課題】
【０００４】
しかし、特許文献１及び２に記載されたような駆動装置では、駆動装置ケースの上部に制御装置を配置するため、駆動装置全体としては上下方向の寸法が大きくなってしまう。そのため、このような駆動装置を車両に搭載する際には、通常、駆動装置の上方に配置されることになるバッテリやエアクリーナー等の機器が制御装置に干渉することを避けるため、これらの機器を他の位置に移動させる必要性が生じる。そのため、回転電機を制御する制御装置が不要な通常のエンジン駆動の駆動装置との間の互換性を十分に図ることができなかった。
【０００５】
ここで、通常のエンジン駆動の駆動装置との間の互換性を高めて利便性を良くするには、駆動装置と一体化された制御装置の配置位置を、バッテリやエアクリーナー等の機器との干渉のおそれの少ない、駆動装置ケースの下部へ変更することが考えられる。しかし、制御装置を単に駆動装置ケースの下部に移動させるだけでは、駆動装置の下部が大型化してしまい、他の車両構成部品と干渉し、或いは最低地上高を確保することが困難となってしまうという課題があった。
【０００６】
本発明は、上記の課題に鑑みてなされたものであり、制御装置を駆動装置ケースの下部に一体的に配置した上で全体の大型化を抑制することができる駆動装置を提供することを目的とする。
【課題を解決するための手段】
【０００７】
この目的を達成するための、本発明に係る、エンジンに接続される入力軸と、回転電機と、前記回転電機に接続される第一回転要素と、前記入力軸に接続される第二回転要素と、出力回転要素となる第三回転要素と、を備える差動歯車装置と、前記回転電機の制御を行う制御装置と、前記出力回転要素に接続される入力ギヤを備え、当該入力ギヤの回転駆動力を出力軸へ伝達する駆動出力装置と、を備えた駆動装置の特徴構成は、前記回転電機及び前記差動歯車装置の一方又は双方を、前記入力軸と同軸上に配置される入力同軸部品として備え、前記入力ギヤの回転軸が、前記入力軸よりも下方に配置され、前記制御装置を構成する第一構成部品が、前記入力同軸部品よりも下方であって、かつ、前記入力ギヤの回転軸方向から見た軸方向視で、前記第一構成部品の少なくとも一部が前記入力ギヤと重複する位置に配置されている点にある。
【０００８】
ここで、本願において「入力同軸部品」とは、駆動装置を構成する各種の部品のうち、入力軸と同軸上に配置される部品を意味する。例えば、入力軸と同軸上に配置される回転電機や差動歯車装置等がこれに含まれ、入力軸と同軸上に配置される限り、これら以外の他の部品をも含む概念である。また、入力軸それ自体をも含む概念である。なお、入力軸と同軸上に配置される部品が一つだけの場合は、当該部品が「入力同軸部品」であり、入力軸と同軸上に配置される部品が複数存在する場合は、それらのうちの一又は二以上の部品が「入力同軸部品」となる。
【０００９】
また、本願では、「回転電機」は、モータ（電動機）、ジェネレータ（発電機）、及び必要に応じてモータ及びジェネレータの双方の機能を果たすモータ・ジェネレータのいずれをも含む概念として用いている。
【００１０】
また、本願では、「接続」は、部材間の直接的な接続だけではなく、部材間に一又は二以上の部材を介する間接的な接続をも含む概念として用いている。
【００１１】
上記の特徴構成によれば、駆動出力装置の入力ギヤの回転軸が入力軸よりも下方に配置され、制御装置を構成する第一構成部品が、入力軸と同軸上に配置される入力同軸部品の更に下方に配置されることにより、駆動装置の下部に回転電機を制御する制御装置が配置される。このとき、第一構成部品は、入力ギヤの回転軸方向から見た軸方向視で、その少なくともその一部が入力ギヤと重複する位置に配置される。つまり、上下方向において当該入力ギヤと第一構成部品の一部とが重複して配置されるので、駆動装置全体の上下方向の寸法拡大を抑制することができる。また、水平面上で軸方向に対して直交する方向に関しては、駆動装置内における物理的な制約が少なくなるので、第一構成部品を、当該方向に寸法拡大しつつ、入力同軸部品の下方におけるスペースに配置することが可能となる。したがって、制御装置をケースの下部に一体的に配置した上で全体の大型化を抑制することができる駆動装置を提供することができる。
【００１２】
ここで、前記入力ギヤが、前記駆動出力装置の軸方向中心部に対して前記第一構成部品とは反対側に配置されていると好適である。
【００１３】
この構成によれば、駆動出力装置の軸方向中心部に対して、第一構成部品と入力ギヤとが反対側に配置されるので、駆動出力装置の中で径方向寸法が最も大きい部分が入力ギヤの外径である場合において、駆動出力装置の軸方向中心部に対して第一構成部品と入力ギヤとが同じ側に配置される場合に比べて、入力ギヤとの干渉による第一構成部品の配置上の制約が少なくなる。したがって、軸方向における第一構成部品の寸法を拡大することができる。
【００１４】
また、前記回転電機を第一回転電機とするとともに、第二回転電機を更に備え、前記第一回転電機と前記第二回転電機とが、互いに異なる軸上において軸方向に重複して配置され、前記第一構成部品が、前記第一回転電機よりも下方であって、かつ、鉛直上方から見た平面視で少なくとも前記第一構成部品の一部が前記第一回転電機と重複する位置に配置されていると好適である。
【００１５】
この構成によれば、第一回転電機と第二回転電機とが互いに異なる軸上において軸方向に重複して配置されるため、これらを同軸上に配置する場合と比べて、駆動装置全体としての軸方向長さを短く抑えつつ、それぞれの回転電機の軸方向長さを長くすることができる。よって、回転電機が出力可能な回転駆動力を従来と同等としたまま回転電機の直径を小さくすることができるので、直径が小さくなった分だけ回転電機の径方向外側にスペースを生じさせることができる。そして、当該スペースのうち第一回転電機の下方であって、かつ、鉛直上方から見た平面視で少なくとも一部が第一回転電機と重複する位置に、制御装置を構成する第一構成部品が配置されるので、駆動装置内の空間を有効利用することができる。
【００１６】
また、前記差動歯車装置の前記出力回転要素に接続されるカウンタドリブンギヤと、前記入力ギヤに接続されるファイナルドライブギヤと、を連結するとともに前記入力軸と平行に配置されるカウンタシャフトを備え、前記エンジン側から、前記入力軸、前記差動歯車装置、前記第一回転電機の順に配置され、前記ファイナルドライブギヤが、前記カウンタドリブンギヤよりも前記エンジン側に配置されていると好適である。
【００１７】
駆動装置を車両に搭載する際には、駆動出力装置は車両の幅方向のできるだけ中央に配置されていることが好ましく、エンジンと駆動装置との大きさのバランスを考慮すると、駆動出力装置はできるだけエンジン側に寄せて配置することが好ましい。そこで、上記の構成を採用して、入力ギヤに接続されるファイナルドライブギヤを、カウンタドリブンギヤよりもエンジン側に配置することにより、入力ギヤ及び駆動出力装置をエンジン側に近接させて配置することが可能となる。このとき、エンジン側から、入力軸、差動歯車装置、第一回転電機の順に配置することにより、駆動出力装置と第一回転電機とを軸方向で重複しないように配置することができる。したがって、比較的大きなこれらの部品を軸方向にずらして配置することで、駆動装置全体の径方向への拡大を防止して、駆動装置全体を小型化することができる。また、入力ギヤをエンジン側に近接させて配置することにより、物理的な制約を少なくして、軸方向における第一構成部品の寸法を一層拡大することが可能となる。
【００１８】
また、前記第二回転電機の回転軸が、前記入力軸よりも上方であって、かつ、前記入力軸を通る鉛直面に対して前記出力軸と同じ側に配置されていると好適である。
【００１９】
この構成によれば、駆動出力装置の上方であって、かつ、第一回転電機と水平方向に重複する位置にスペースが生じる。したがって、上記の構成を採用することにより、当該スペースを利用して第二回転電機を配置し、駆動装置内の空間を有効利用することができる。
【００２０】
また、前記制御装置は、直流電力と交流電力との間の変換を行うインバータユニットを前記第一構成部品として含み、前記制御装置を構成する前記インバータユニットとは異なる第二構成部品の少なくとも一部が、上下方向で前記第一回転電機と重複して配置されていると好適である。
【００２１】
ここで、「上下方向で第一回転電機と重複する」とは、第一回転電機が上下方向において占める高さ範囲内の位置にあることを意味する。
【００２２】
この構成によれば、駆動装置のケース下部に開口部を設けることにより、当該開口部からのアクセスが可能となるので、インバータユニットの保守点検や修理等の際における作業性を良好なものとすることができる。また、回転電機の直径を小さくすることによって回転電機の径方向外側に生じるスペースのうち、第一回転電機が上下方向において占める高さ範囲内の位置に、インバータユニットとは異なる第二構成部品が配置されるので、駆動装置内の空間をより一層有効利用することができる。
【００２３】
また、前記インバータユニットにおける前記第一回転電機と接続するための接続端子が、略水平方向に延出するように設置されていると好適である。
【００２４】
この構成によれば、例えば、接続端子が上向き又は下向きに延出するように設置される場合に比べて、駆動装置全体の上下方向への寸法拡大を防止することができる。
【００２５】
また、前記インバータユニットにおける前記第一回転電機と接続するための接続端子と、前記第一回転電機における前記インバータユニットと接続するための接続端子とが、軸方向で前記入力軸とは反対側に設置されていると好適である。
【００２６】
この構成によれば、駆動装置のエンジンへの組み付け後の保守点検等が容易となる。また、結線のための作業スペースを広く確保する必要がなくなるので、駆動装置全体の大型化を抑制することができる。
【００２７】
これまで説明してきた構成において、互いに液密状に隔離された第一室と第二室とを有するケースを備え、前記第一室に前記回転電機、前記差動歯車装置及び前記駆動出力装置を収容し、前記第二室に前記制御装置を収容してなると好適である。
【００２８】
回転電機や差動歯車装置には、これらの部品の冷却や潤滑を行うための潤滑油が供給されることが好ましい。一方、制御装置はインバータユニット等の電気部品を含んで構成されるため電気的絶縁が必要となり、潤滑油等の液体とは接触しないようにされていることが好ましい。上記の構成によれば、回転電機及び差動歯車装置を収容する第一室と制御装置を収容する第二室とが、互いに液密状に隔離されているので、回転電機及び差動歯車装置に対して適切に潤滑油を供給しながらも、容易に、第二室に収容された制御装置の電気的絶縁性を確保することが可能となる。
【発明を実施するための最良の形態】
【００２９】
以下に、本発明に係る駆動装置１の実施形態について図面を参照して説明する。本実施形態においては、本発明に係る駆動装置１を、ＦＦ（Front Engine Front Drive）車両に適用する場合を例として説明する。図１は、本発明の実施形態に係る駆動装置１の軸方向に垂直な平面における断面図である。図２は、本発明の実施形態に係る駆動装置１を第一軸Ａ１の下方から見た下面図であり、図３は、本発明の実施形態に係る駆動装置１を第一軸Ａ１の側方から見た側面図である。図４は、本発明の実施形態に係る駆動装置１の展開断面図である。図５は、駆動装置１を上方から見たときの各構成部品の配置を概略的に示す模式図であり、図６は、車両Ｃ内での駆動装置１の配置を概略的に示す模式図である。
【００３０】
１．駆動装置の全体構成
まず、本実施形態に係る駆動装置１の全体構成について説明する。本実施形態に係る駆動装置１は、図６に示すように、車両Ｃに横置きされるエンジンＥに対して車両Ｃの幅方向に隣接して配置され、エンジンＥの出力軸Ｅｏの軸方向に連結される。エンジンＥの出力軸Ｅｏから入力された回転駆動力（または、回転電機ＭＧにより発生させられた回転駆動力）は、駆動装置１の駆動出力装置ＤＦの出力軸ＤＦｏを介して駆動輪Ｗに伝達され、車両Ｃは走行することができる。なお、図示の例では、駆動出力装置ＤＦの出力軸ＤＦｏは、車両Ｃの前後方向でエンジンＥの出力軸Ｅｏ（駆動装置１の入力軸Ｉ（図４を参照））よりも後方側に配置されているが、エンジンＥの出力軸Ｅｏ（駆動装置１の入力軸Ｉ）よりも前方側に配置されていても良い。
【００３１】
図１には、車両Ｃに搭載された駆動装置１の軸方向に垂直な平面における断面図を示している。以下では、図１における上下方向を鉛直方向として説明する。この図に示すように、この駆動装置１は、第一回転電機ＭＧ１及び第二回転電機ＭＧ２の２つの回転電機ＭＧと、駆動出力装置ＤＦとを備えている。ここで、「回転電機ＭＧ」は、第一回転電機ＭＧ１と第二回転電機ＭＧ２とを包括する概念として用いている（以下、同様）。なお、図１には、これらの外形のみを示し、詳細な形状は省略している。これらの第一回転電機ＭＧ１、第二回転電機ＭＧ２、及び駆動出力装置ＤＦは、径方向に互いに隣接して配置され、これらの軸を結ぶ線が三角形を形成するように配置されている。ここでは、第一回転電機ＭＧ１の軸（すなわち第一回転電機ＭＧ１のロータＲｏ１の回転軸３１（図４を参照））を第一軸Ａ１、第二回転電機ＭＧ２の軸（すなわち第二回転電機ＭＧ２のロータＲｏ２の回転軸３２（図４を参照））を第二軸Ａ２、駆動出力装置ＤＦの軸（駆動出力装置ＤＦの出力軸ＤＦｏ）を第三軸Ａ３とする。これら第一軸Ａ１、第二軸Ａ２、及び第三軸Ａ３は、互いに平行に配置されている。なお、以下の説明においては、「軸方向」とはこれら第一軸Ａ１、第二軸Ａ２、及び第三軸Ａ３に平行な方向（図１における紙面に垂直な方向）を意味するものとする。これらの第一回転電機ＭＧ１、第二回転電機ＭＧ２、及び駆動出力装置ＤＦは、ケース２の機械室Ｒ１内に収容されている。
【００３２】
また、この駆動装置１は、第一回転電機ＭＧ１及び第二回転電機ＭＧ２の制御を行う制御装置１１を備えている。制御装置１１は、少なくともインバータユニット１２と平滑コンデンサ１４とを含んで構成される。ここで、平滑コンデンサ１４は、電源装置としてのバッテリ（図示はしていない）からの入力電源を平滑してインバータユニット１２へ供給する。インバータユニット１２は、少なくとも３組６個のスイッチング素子を用いて構成されるブリッジ回路を備え、直流電力と交流電力との間の変換を行う。制御装置１１を構成するこれらの部品は、バスバー１６ａ、１６ｂを介して互いに電気的に接続されており、駆動装置１は、更に制御装置１１とバッテリとの間の電気的接続を行うためのコネクタ１５を備えている。これらのインバータユニット１２及び平滑コンデンサ１４は、ケース２の電気室Ｒ２内に収容されている。ここで、ケース２は外周壁４と隔壁５とを有して構成されており、隔壁５により機械室Ｒ１と電気室Ｒ２とが区画されている。機械室Ｒ１及び電気室Ｒ２は、互いに液密状に隔離されている。したがって、本実施形態においては、この機械室Ｒ１及び電気室Ｒ２が、それぞれ本発明における「第一室」及び「第二室」に相当する。
【００３３】
２．ケースの構成
次に、ケース２の構成について説明する。図１に示すように、ケース２は、第一回転電機ＭＧ１、第二回転電機ＭＧ２等が収容される機械室Ｒ１と、制御装置１１を構成するインバータユニット１２や平滑コンデンサ１４等が収容される電気室Ｒ２とを備えている。機械室Ｒ１と電気室Ｒ２との間は隔壁５により区画されている。このとき、機械室Ｒ１と電気室Ｒ２とは、隔壁５によって第一回転電機ＭＧ１の径方向に区画されており、電気室Ｒ２は、機械室Ｒ１に対して第一回転電気ＭＧ１の径方向外側に形成されている。
【００３４】
ケース２の外形を構成する外周壁４は、第一回転電機ＭＧ１、第二回転電機ＭＧ２、及び駆動出力装置ＤＦの各軸（第一軸Ａ１、第二軸Ａ２及び第三軸Ａ３）に略平行な軸を有する異形筒状に形成されている。機械室Ｒ１は、ケース２の内部の大部分を占めており、その形状は外周壁４の形状に従い、第一回転電機ＭＧ１、第二回転電機ＭＧ２、及び駆動出力装置ＤＦの各軸（第一軸Ａ１、第二軸Ａ２及び第三軸Ａ３）に略平行な軸を有し、これらの外形を囲む形状の異形筒状とされている。電気室Ｒ２は、このような機械室Ｒ１の径方向外側の一部を囲むように形成されている。電気室Ｒ２は第一回転電機ＭＧ１の外形に沿うように円弧状に延びる隔壁５の外側に位置するとともに、第一回転電機ＭＧ１の軸心周方向に延びている。電気室Ｒ２内には、水平方向（図１における左右方向）での第一回転電機ＭＧ１の一方側の最外周部（図１における左側）において、隔壁５から略鉛直下向きに延びる補助隔壁６が形成されている。このため、電気室Ｒ２は図１に示された方向から見て、断面が略Ｌ字状の空間となっている。
【００３５】
インバータユニット１２は、電気室Ｒ２内において、鉛直方向（図１における上下方向）で第一回転電機ＭＧ１の下方に、略水平姿勢となるように保持される。平滑コンデンサ１４は、水平方向で第一回転電機ＭＧ１の側方、すなわち、第一回転電機ＭＧ１の回転軸を通る鉛直面に対して駆動出力装置ＤＦとは反対側に、略垂直姿勢となるように保持される。インバータユニット１２と平滑コンデンサ１４とは、それぞれの端部どうしが隣接して配置される。平滑コンデンサ１４の上方には、制御装置１１を構成するこれらのインバータユニット１２及び平滑コンデンサ１４を、バッテリと電気的に接続するためのコネクタ１５が設置されている。コネクタ１５は、電気室Ｒ２からケース２を貫通して、ケース２の外側に露出するように支持されている。
【００３６】
図２に示すように、インバータユニット１２は、第一回転電機ＭＧ１のＵ相、Ｖ相、及びＷ相の３相のコイルに接続される３個の端子１３ａ、及び第二回転電機ＭＧ２のＵ相、Ｖ相、及びＷ相の３相のコイルに接続される３個の端子１３ｂを備えている。インバータユニット１２の各端子１３ａ、１３ｂは、バスバー１６ｃを介して第一回転電機ＭＧ１及び第二回転電機ＭＧ２の各相のコイルに接続される（図３を参照）。これにより、インバータユニット１２を介して、バッテリから供給される直流電力を交流電力に変換して第一回転電機ＭＧ１及び第二回転電機ＭＧ２の各相コイルに供給し、或いは、第一回転電機ＭＧ１及び第二回転電機ＭＧ２の各相コイルから、これらの回転電機ＭＧが発電した交流電力の供給を受け、交流電力を直流電力に変換してバッテリに供給する。なお、図３には、バスバー１６ｃを介したインバータユニット１２と第一回転電機ＭＧ１との間の結線のみを示し、インバータユニット１２と第二回転電機ＭＧ２との間の結線の図示は省略されている。
【００３７】
図１に示すように、電気室Ｒ２には、下方に開口する第一開口部４１及び側方に開口する第二開口部４２が形成されている。この第一開口部４１及び第二開口部４２は、ケース２の外周壁４に形成されている。第一開口部４１は、電気室Ｒ２における第一回転電機ＭＧ１の下方に配置されるインバータユニット１２のケース２への組み付け及び保守点検等を容易にするための開口部である。したがって、図２に示すように、ケース２の下方から見た際に、第一開口部４１の平面形状はインバータユニット１２の平面形状よりも広くなるように形成されている。これにより、インバータユニット１２を第一開口部４１から電気室Ｒ２に収容し、ケース２に固定することができる。この第一開口部４１は、第一カバー４３により覆われている。第一カバー４３は、第一開口部４１の全体を覆うようにケース２の外周壁４に取り付けられている。第一カバー４３は、その両面にフィン４５を備えている。インバータユニット１２に対向して設置される第一カバー４３がこのようなフィン４５を備えることにより、インバータユニット１２が発生した熱を効率良く外部に放出することができる構成となっている。
【００３８】
第二開口部４２は、電気室Ｒ２における第一回転電機ＭＧ１の側方に配置される平滑コンデンサ１４のケース２への組み付け及び保守点検等を容易にするための開口部である。したがって、図３に示すように、ケース２の側方から見た際に、第二開口部４２の平面形状は平滑コンデンサ１４の平面形状よりも広くなるように形成されている。これにより、平滑コンデンサ１４を第二開口部４２から電気室Ｒ２に収容し、ケース２に固定することができる。この第二開口部４２は、第二カバー４４により覆われている。第二カバー４４は、第二開口部４２の全体を覆うようにケース２の外周壁４に取り付けられている。
【００３９】
機械室Ｒ１と電気室Ｒ２とは、ケース２内において隔壁５により物理的に区画されるとともに、図示はされていないが、ケース２の機械室Ｒ１及び電気室Ｒ２における開口端面にカバー３（図３及び図４を参照）が当接することにより、互いに液密状に隔離されている。このとき、機械室Ｒ１及び電気室Ｒ２の開口端面とカバー３との間に液体ガスケット等を配置すると、液密性が高まるので好ましい。このように、機械室Ｒ１と電気室Ｒ２とが互いに液密状に隔離されているので、冷却や潤滑を必要とする、第一回転電機ＭＧ１や第二回転電機ＭＧ２、遊星歯車装置ＰＧ、駆動出力装置ＤＦ等に対して適切に潤滑油を供給しながらも、電気室Ｒ２内には潤滑油が入らないようにすることができるため、容易に、第二室に収容されたインバータユニット１２及び平滑コンデンサ１４の電気的絶縁性を確保することが可能となる。
【００４０】
３．駆動機構の構成
次に、本実施形態に係る駆動装置１が備える駆動機構の構成について説明する。図４に示すように、第一回転電機ＭＧ１及びそのロータＲｏ１の回転軸３１と、エンジンＥの出力軸Ｅｏに接続される入力軸Ｉと、第一回転電機ＭＧ１及び入力軸Ｉの回転を駆動出力装置ＤＦ側へ伝達するための遊星歯車装置ＰＧとが、第一軸Ａ１上に配置されている。このように、第一回転電機ＭＧ１及び遊星歯車装置ＰＧの双方が入力軸Ｉと同軸上に配置されており、本実施形態においては、これらの第一回転電機ＭＧ１及び遊星歯車装置ＰＧの双方が、本発明における「入力同軸部品」とされている。
【００４１】
入力軸ＩはエンジンＥの出力軸Ｅｏに接続されている。ここで、エンジンＥは燃料の燃焼により駆動される内燃機関であり、例えば、ガソリンエンジンやディーゼルエンジン等の公知の各種エンジンを用いることができる。エンジンＥの出力軸Ｅｏと駆動装置１の入力軸Ｉとの間にはダンパ２１が介挿されており、ダンパ２１は、両軸間の捩れ振動を吸収しながらエンジンＥを駆動することによって発生した回転を入力軸Ｉに伝達して駆動装置１内へ入力する。
【００４２】
第一回転電機ＭＧ１は、ケース２に固定されたステータＳｔ１と、このステータＳｔ１の径方向内側に回転自在に支持されたロータＲｏ１と、を有している。ステータＳｔ１は、ステータコアＳｃ１とステータコアＳｃ１に巻装されたコイルＣｏ１とを有する。第一回転電機ＭＧ１のロータＲｏ１の回転軸３１は、遊星歯車装置ＰＧのサンギヤｓと一体回転するように接続されており、第一回転電機ＭＧ１は、主として、ロータＲｏ１の回転軸３１を介して伝達される回転によって電力を発生させるジェネレータとして機能する。なお、第一回転電機ＭＧ１は、回転方向と回転駆動力の向きとの関係次第では、モータとしても機能する。
【００４３】
第二回転電機ＭＧ２は、ケース２に固定されたステータＳｔ２と、このステータＳｔ２の径方向内側に回転自在に支持されたロータＲｏ２と、を有している。ステータＳｔ２は、ステータコアＳｃ２とステータコアＳｃ２に巻装されたコイルＣｏ２とを有する。第二回転電機ＭＧ２のロータＲｏ２の回転軸３２は、第二回転電機出力ギヤ２３と一体回転するように接続されており、第二回転電機ＭＧ２は、主として、回転を発生させてトルクを発生させるモータとして機能する。第二回転電機ＭＧ２の回転により発生したトルクは、ロータＲｏ２の回転軸３２を介して第二回転電機出力ギヤ２３に伝達される。なお、第二回転電機ＭＧ２は主としてモータとして機能するが、第二回転電機ＭＧ２は、車両Ｃの減速のための回生制動時等にはジェネレータとしても機能する。
【００４４】
これらの第一回転電機ＭＧ１及び第二回転電機ＭＧ２は、ジェネレータとして機能する場合には、発電した電力をバッテリに供給して充電し、或いは当該電力をモータとして機能する他方の回転電機ＭＧに供給して力行させる。また、第一回転電機ＭＧ１及び第二回転電機ＭＧ２は、モータとして機能する場合には、バッテリに充電され、或いはジェネレータとして機能する他方の回転電機ＭＧにより発電された電力の供給を受けて力行する。
【００４５】
遊星歯車装置ＰＧは、入力軸Ｉと同軸上に配置され、第一回転要素、第二回転要素、及び第三回転要素の３つの回転要素を備えている。本実施形態においては、遊星歯車装置ＰＧは、複数のピニオンギヤを回転自在に支持するキャリアｃａと、ピニオンギヤにそれぞれ噛合するサンギヤｓと、リングギヤｒと、を有するシングルピニオン型の遊星歯車装置ＰＧとされている。本実施形態においては、この遊星歯車装置ＰＧが、本発明における「差動歯車装置」に相当する。また、遊星歯車装置ＰＧの３つの回転要素を、回転速度の順に第一回転要素、第二回転要素、第三回転要素とすると、それぞれ、サンギヤｓが本発明における「第一回転要素」、キャリアｃａが「第二回転要素」、及びリングギヤｒが「第三回転要素」に相当する。
【００４６】
サンギヤｓは、ロータＲｏ１の回転軸３１を介して第一回転電機ＭＧ１と一体回転するように接続されている。キャリアｃａは、入力軸Ｉと一体回転するように接続されている。リングギヤｒは出力回転要素となっており、軸方向でリングギヤｒよりもエンジンＥ側において入力軸Ｉと同軸上に設けられたカウンタドライブギヤ２２と一体回転する。遊星歯車装置ＰＧは、入力軸Ｉからの回転駆動力を、出力回転要素としてのリングギヤｒと第一回転電機ＭＧ１とに分配する動力分配用差動歯車装置として機能し、第一回転電機ＭＧ１及び入力軸Ｉから入力されるそれぞれの回転駆動力とギヤ比（サンギヤｓとリングギヤｒとの歯数比＝〔サンギヤｓの歯数〕／〔リングギヤｒの歯数〕）とに基づいて決定される回転駆動力を、リングギヤｒと一体回転するカウンタドライブギヤ２２を介して駆動出力装置ＤＦ側へ伝達する。
【００４７】
駆動装置１は、カウンタドライブギヤ２２の回転を、駆動出力装置ＤＦへ伝達するカウンタギヤ機構Ｔを更に備える。カウンタギヤ機構Ｔは、カウンタドライブギヤ２２に噛合するカウンタドリブンギヤ２４と、駆動出力装置ＤＦのファイナルドリブンギヤ２７に噛合するファイナルドライブギヤ２６と、カウンタドリブンギヤ２４とファイナルドライブギヤ２６とを連結するカウンタシャフト２５と、を有する。カウンタシャフト２５は、入力軸Ｉと平行に配置され、ファイナルドライブギヤ２６は軸方向でカウンタドリブンギヤ２４よりもエンジンＥ側に配置されている。また、カウンタドリブンギヤ２４には、第二回転電機出力ギヤ２３が噛合させられる。こうして、カウンタドライブギヤ２２の回転及び第二回転電機出力ギヤ２３の回転が反転されてカウンタドリブンギヤ２４に伝達されるようになっている。
【００４８】
カウンタドリブンギヤ２４に伝達された回転は、カウンタシャフト２５を介してファイナルドライブギヤ２６に伝達される。駆動出力装置ＤＦは、ファイナルドライブギヤ２６と噛合するファイナルドリブンギヤ２７を有しており、ファイナルドリブンギヤ２７に伝達された回転駆動力を分配し、出力軸ＤＦｏを介して二つの駆動輪Ｗに伝達する。このように、駆動出力装置ＤＦは、二つの駆動輪Ｗへの出力を分配する駆動出力用差動歯車装置として機能する。本実施形態においては、駆動出力装置ＤＦのファイナルドリブンギヤ２７が本発明における「入力ギヤ」に相当し、出力軸ＤＦｏが本発明における「出力軸」に相当する。なお、本実施形態においては、ファイナルドリブンギヤ２７と出力軸ＤＦｏの回転軸は一致している。つまり、本実施形態においては、第三軸Ａ３はファイナルドリブンギヤ２７の回転軸でもある。
【００４９】
このように、本実施形態に係る駆動装置１は、エンジンＥ、第一回転電機ＭＧ１及び第二回転電機ＭＧ２によって発生した回転を、カウンタギヤ機構Ｔ、駆動出力装置ＤＦ及び出力軸ＤＦｏを介して二つの駆動輪Ｗに伝達し、車両Ｃを走行させることができる。具体的には、第二回転電機ＭＧ２だけを駆動するモータ駆動モードや、エンジンＥ、第一回転電機ＭＧ１及び第二回転電機ＭＧ２の全てを駆動するハイブリッド駆動モード等を切り替えて車両Ｃを走行させることができる。
【００５０】
４．各構成部品の配置構成
次に、本発明の要部である、駆動装置１における各構成部品の配置構成について説明する。ここでは、ケース２内における第一軸Ａ１、第二軸Ａ２及び第三軸Ａ３の配置構成、軸方向の配置構成、制御装置構成部品の配置構成に焦点を当てて説明する。
【００５１】
４−１．三軸の配置構成
図１に示すように、第一回転電機ＭＧ１、第二回転電機ＭＧ２及び駆動出力装置ＤＦは、ケース２の機械室Ｒ１内において径方向に互いに隣接して配置されている。前述の通り、本実施形態においては、入力軸Ｉ及び第一回転電機ＭＧ１の軸（第一回転電機ＭＧ１のロータＲｏ１の回転軸３１）が第一軸Ａ１を、第二回転電機ＭＧ２の軸（第二回転電機ＭＧ２のロータＲｏ２の回転軸３２）が第二軸Ａ２を、駆動出力装置ＤＦの軸（駆動出力装置ＤＦの出力軸ＤＦｏ、ファイナルドリブンギヤ２７の回転軸）が第三軸Ａ３を構成している。これら第一軸Ａ１、第二軸Ａ２及び第三軸Ａ３は、互いに平行に配置されるとともに、軸方向視でこれらの軸を結ぶ線が三角形を形成するように配置されている。
【００５２】
具体的には、第一軸Ａ１を基準とした場合、鉛直方向では、第二軸Ａ２は第一軸Ａ１を通る水平面に対して上方に配置され、第三軸Ａ３は第一軸Ａ１を通る水平面に対して下方に配置されている。したがって、ファイナルドリブンギヤ２７の回転軸及び駆動出力装置ＤＦからの出力軸ＤＦｏが入力軸Ｉよりも下方に配置されることになる。また、第二回転電機ＭＧ２の回転軸が入力軸Ｉに対して上方に配置されることになる。
第一軸Ａ１を基準とした場合における水平方向では、第二軸Ａ２及び第三軸Ａ３は共に第一軸Ａ１を通る鉛直面に対して一方側（図１における右側）に配置されている。したがって、第二回転電機ＭＧ２の回転軸が入力軸Ｉを通る鉛直面に対して出力軸ＤＦｏと同じ側に配置されることになる。第二軸Ａ２は第三軸Ａ３に対してやや一方側（図１における右側）に配置されている。
このように、駆動出力装置ＤＦの出力軸ＤＦｏが、入力軸Ｉよりも下方であって、かつ、入力軸Ｉを通る鉛直面に対して一方側に配置される場合、駆動出力装置ＤＦの上方であって、かつ、第一回転電機ＭＧ１と水平方向に重複する位置にスペースが生じる。よって、当該スペースを利用して第二回転電機ＭＧ２を配置することにより、駆動装置１内の空間を有効利用することができる。
【００５３】
４−２．軸方向の配置構成
図４及び図５に示すように、第一軸Ａ１上においては、エンジンＥが連結される側から、入力軸Ｉ、遊星歯車装置ＰＧ、第一回転電機ＭＧ１の順に配置されている。駆動装置１を車両Ｃに搭載する際には、駆動出力装置ＤＦは車両Ｃの幅方向のできるだけ中央に配置されていることが好ましく、エンジンＥと駆動装置１との大きさのバランスを考慮すると、駆動出力装置ＤＦはできるだけエンジンＥ側に寄せて配置することが好ましい。このとき、第一軸Ａ１上において、エンジンＥが連結される側とは反対側から、第一回転電機ＭＧ１、遊星歯車装置ＰＧ、入力軸Ｉの順に配置されることになる。更に、遊星歯車装置ＰＧを構成するリングギヤｒよりも軸方向でエンジンＥ側にカウンタドライブギヤ２２が配置され、カウンタドライブギヤ２２に噛合するカウンタドリブンギヤ２４よりも軸方向でエンジンＥ側にファイナルドライブギヤ２６が配置され、ファイナルドライブギヤ２６に駆動出力装置ＤＦのファイナルドリブンギヤ２７が噛合する。よって、駆動出力装置ＤＦと第一回転電機ＭＧ１とが軸方向で重複しないように互いに離間させて配置することができる。したがって、比較的大きなこれらの部品を軸方向にずらして配置することで、駆動装置１全体の径方向への拡大を防止して、駆動装置１全体を小型化することができる。
【００５４】
また、本実施形態においては、図４及び図５に示すように、ファイナルドリブンギヤ２７が、駆動出力装置ＤＦの中心部ＤＦｃに対してインバータユニット１２とは反対側に配置されている。ここでは、軸方向におけるエンジンＥ側にファイナルドリブンギヤ２７が配置され、ファイナルドリブンギヤ２７に対してエンジンＥとは反対側に、駆動出力装置ＤＦの中心部ＤＦｃ及びインバータユニット１２が配置されている。また、駆動出力装置ＤＦの本体部とインバータユニット１２とは、軸方向で重複するように配置される。ここで、本実施形態のように、駆動出力装置ＤＦの中でファイナルドリブンギヤ２７の外径が最も大きい場合には、上記のような配置構成を採用することで、駆動出力装置ＤＦの中心部ＤＦｃに対してインバータユニット１２とファイナルドリブンギヤ２７とが同じ側に配置される場合に比べて、ファイナルドリブンギヤ２７との干渉によるインバータユニット１２の配置上の制約が少なくなる。よって、駆動装置１全体の軸方向長さを短くしつつ、軸方向におけるインバータユニット１２の寸法を拡大することができる。
【００５５】
また、図４に示すように、カウンタギヤ機構Ｔのカウンタシャフト２５の回転軸方向において、ファイナルドライブギヤ２６が、カウンタドリブンギヤ２４よりもエンジンＥ側に配置されている。このように、駆動出力装置ＤＦのファイナルドリブンギヤ２７に噛合するファイナルドライブギヤ２６をエンジンＥ側に寄せて配置することで、ファイナルドリブンギヤ２７をエンジンＥ側に近接させて配置することが可能となり、軸方向におけるインバータユニット１２の寸法を拡大することができる。
【００５６】
第一回転電機ＭＧ１と第二回転電機ＭＧ２とは、軸方向に重複する位置に配置されている。すなわち、第一回転電機ＭＧ１と第二回転電機ＭＧ２とは、側面視（図３に示す方向から見た状態）で互いに重なる位置に配置されている。本実施形態においては、図４に示すように、第二回転電機ＭＧ２の方が第一回転電機ＭＧ１よりも、軸方向において僅かにエンジンＥ側に配置されているものの、二つの回転電機ＭＧが略全体に亘って重複している。これにより、第一回転電機ＭＧ１と第二回転電機ＭＧ２とが重複した分だけ、これらを同軸上に配置する場合と比べて、それぞれの回転電機ＭＧの軸方向長さを長くすることを可能としながらも、駆動装置１の軸方向における全長を短く抑えることができる構成となっている。よって、回転電機ＭＧが出力可能な回転駆動力の大きさを従来と同等としたまま回転電機ＭＧの直径を小さくすることができる。
【００５７】
４−３．制御装置構成部品の配置構成
本実施形態においては、図１及び図３に示すように、制御装置１１を構成するインバータユニット１２が、第一回転電機ＭＧ１及び遊星歯車装置ＰＧの下方に配置されている。また、図５に示すように、インバータユニット１２は、鉛直上方から見た平面視で少なくとも一部が第一回転電機ＭＧ１及び遊星歯車装置ＰＧと重複する位置に配置されている。また、ファイナルドリブンギヤ２７の回転軸方向から見た軸方向視で、インバータユニット１２の少なくとも一部がファイナルドリブンギヤ２７と重複する位置に配置されている。本実施形態においては、このインバータユニット１２が本発明における「第一構成部品」に相当する。前述の通り、本実施形態に係る回転電機ＭＧは、その直径を小さくすることが可能となっているので、直径が小さくなった分だけ第一回転電機ＭＧ１の径方向外側にスペースを生じさせることができる。そして、当該スペースのうち第一回転電機ＭＧ１の下方に、制御装置１１を構成する部品の一つであるインバータユニット１２が配置されるので、駆動装置１内の空間を有効利用して駆動装置１全体の上下方向の寸法拡大を抑制することができる。このとき、インバータユニット１２の一部がファイナルドリブンギヤ２７の回転軸方向から見た軸方向視でファイナルドリブンギヤ２７と重複して配置されるので、水平面上で軸方向に対して直交する方向に関しては、少なくとも駆動出力装置ＤＦの本体部との干渉を避ければ、駆動装置内１における物理的な制約が少なくなるので、インバータユニット１２の寸法を当該方向に拡大することが可能となる。
【００５８】
また、直径が小さくなったことにより第一回転電機ＭＧ１の径方向外側に生じたスペースのうち、第一回転電機ＭＧ１と上下方向で重複する位置に、制御装置１１を構成する部品の一つである平滑コンデンサ１４が配置されている。平滑コンデンサ１４は、その少なくとも一部が第一回転電機ＭＧ１と上下方向で重複している。すなわち、平滑コンデンサ１４は、第一回転電機ＭＧ１が上下方向において占める高さ範囲内にその少なくとも一部が配置されている。図示の例では、平滑コンデンサ１４は、その上端面が第一回転電機ＭＧ１に接する上下二つの水平面の間の空間に位置するように配置されている。本実施形態においては、この平滑コンデンサ１４が本発明における「第二構成部品」に相当する。このとき、インバータユニット１２と平滑コンデンサ１４とは、鉛直上方から見た平面視で軸方向に重複する位置であって、かつ、インバータユニット１２の上端面１２ａと平滑コンデンサ１４の下端面１４ｂとが略同じ高さとなる位置に保持される（図１〜図３を参照）。したがって、インバータユニット１２と平滑コンデンサ１４とは、電気室Ｒ２内において第一回転電機ＭＧ１の軸心周方向に沿って、第一回転電機ＭＧ１の径方向外側の一部を囲むように、軸方向視で略Ｌ字状に配置されている。ここで、平滑コンデンサ１４は、その上端部が電気室Ｒ２からケース２を貫通してケース２の外側に露出するように支持されたコネクタ１５にも隣接するように配置されている。このような配置構成を採用することにより、駆動装置１内の空間を更に有効利用することができる。
【００５９】
また、入力軸Ｉの軸方向から見た軸方向視で、入力軸Ｉの下方から入力軸Ｉを通る鉛直面に対して出力軸ＤＦｏが配置された側とは反対側に亘るスペースにおいて、入力軸Ｉの下方にインバータユニット１２が配置され、インバータユニット１２と端部どうしを隣接させてインバータユニット１２よりも上方に平滑コンデンサ１４が配置され、平滑コンデンサ１４の上方にコネクタ１５が配置される。以上のような配列順序は、回転電機ＭＧを制御するための電気回路の配列順序、すなわち、バッテリに接続されるコネクタ１５、平滑コンデンサ１４、インバータユニット１２の順に対応したものとされているので、これらの制御装置構成部品を電気的に接続する際に、配線長を短くすることができる。よって、電力損失を軽減することが可能となる。
【００６０】
また、インバータユニット１２を回転電機ＭＧ１の下方に配置したことにより、第一カバー４３を外すことによりケース２の下部に形成された第一開口部４１からのアクセスが可能となるので、インバータユニット１２の保守点検や修理等の際における作業性を良好なものとすることができる。また、第一カバー４３は、その両面にフィン４５を備え、電気室Ｒ２の下部においてインバータユニット１２が発生した熱を、フィン４５を介して外部に伝達する。このとき、駆動装置１の下面に沿って流れる冷却風を利用して、効率良く熱を外部に放出することができる。
【００６１】
ここで、図３に示すように、インバータユニット１２における第一回転電機ＭＧ１と接続するための端子１３ａと、第一回転電機ＭＧ１におけるインバータユニット１２と接続するための端子１７とは、軸方向で入力軸Ｉとは反対側に設置されている。すなわち、これらの端子１３ａ、１７は、いずれもインバータユニット１２に対してエンジンＥとは反対側に設置されており、これらはバスバー１６ｃにより電気的に接続されている。本実施形態においては、この端子１３ａが本発明における「インバータユニットにおける第一回転電機と接続するための接続端子」に、端子１７が本発明における「第一回転電機におけるインバータユニットと接続するための接続端子」に相当する。このように、端子１３ａ及び端子１７を、いずれもインバータユニット１２に対してエンジンＥとは反対側に設置したことにより、駆動装置１のエンジンＥへの組み付け後の保守点検等が容易となる。また、結線のための作業スペースを広く確保する必要がなくなるので、駆動装置１全体の大型化を抑制することができる。
【００６２】
またこのとき、インバータユニット１２における第一回転電機ＭＧ１と接続するための端子１３ａは、インバータユニット１２の本体部から略水平方向に延出するように設置されている。図示の例では、端子１３ａはインバータユニット１２の本体部の上端面１２ａ付近から軸方向に沿って延出するように設置されている。したがって、端子１３ａが上向き或いは下向きに延出するように設置される場合に比べて、駆動装置１全体の上下方向への寸法拡大を防止することができる。なお、同様に、インバータユニット１２における第二回転電機ＭＧ２と接続するための端子１３ｂと、第二回転電機ＭＧ２におけるインバータユニット１２と接続するための端子（図示はしていない）とが、軸方向で入力軸Ｉとは反対側に設置され、端子１３ｂはインバータユニット１２の本体部から軸方向に沿って延出するように設置されている。
【００６３】
以上より、本実施形態に係る駆動装置１によれば、各構成部品の配置構成を工夫して駆動装置１内の空間をできる限り有効利用することにより、制御装置１１をケース２の下部に一体的に配置した上で全体の大型化を抑制することができる駆動装置１を提供することができる。
【００６４】
なお、図１を参照して、軸方向における形状及び配置を考慮すると、インバータユニット１２が配置されている位置は、通常のＡＴ（Automatic Transmission）やＣＶＴ（Continuously Variable Transmission）の駆動装置において、ブレーキやクラッチ等へ供給する油圧を制御するためのバルブボディが配置されている位置に相当する。よって、これらの駆動装置との間における形状互換性が高くなるので、従来これらの駆動装置を搭載していた車両に対して、特別な部品の移動等を必要とすることなく本実施形態に係る駆動装置１を搭載することが可能となる。なお、本実施形態の駆動装置１においては、制御装置１１が第一回転電機ＭＧ１の回転駆動力を電気的に制御することにより変速を行なうことが可能であり、作動油等による油圧制御を行う必要がないため、バルブボディを別途設置する必要がない。よって、全体としての大型化を招くこともない。
【００６５】
更に、第一回転電機ＭＧ１、第二回転電機ＭＧ２及び遊星歯車装置ＰＧが配置されている位置は、ＣＶＴの駆動装置において、それぞれプライマリプーリー、セカンダリプーリー及び前後進切換機構が配置されている位置に相当する。よって、ＣＶＴの駆動装置との間における形状互換性が非常に高くなるので、従来ＣＶＴの駆動装置を搭載していた車両に対して、特別な部品の移動等を必要とすることなく本実施形態に係る駆動装置１を搭載することが可能となる。
【００６６】
〔その他の実施形態〕
（１）上記の実施形態においては、インバータユニット１２を制御装置１１の第一構成部品として、インバータユニット１２が、第一回転電機ＭＧ１及び遊星歯車装置ＰＧの下方であって、かつ、ファイナルドリブンギヤ２７の回転軸方向から見た軸方向視で、インバータユニット１２の一部がファイナルドリブンギヤ２７と重複する位置に配置されている例について説明した。また、平滑コンデンサ１４を第二構成部品として、平滑コンデンサ１４が、電気室Ｒ２内において上下方向で第一回転電機ＭＧ１と重複して配置されている例について説明した。しかし、制御装置１１を構成する制御装置構成部品の配置構成は、これに限定されない。例えば、平滑コンデンサ１４を、第一回転電機ＭＧ１及び遊星歯車装置ＰＧの下方であって、かつ、ファイナルドリブンギヤ２７の回転軸方向から見た軸方向視で、インバータユニット１２の一部がファイナルドリブンギヤ２７と重複する位置に配置し、インバータユニット１２を上下方向で第一回転電機ＭＧ１と重複して配置することも、本発明の好適な実施形態の一つである。この場合であっても、駆動装置１内の空間を有効利用して駆動装置１全体の上下方向の寸法拡大を抑制することができる。また、水平面上で軸方向に対して直交する方向に関しては、少なくとも駆動出力装置ＤＦの本体部との干渉を避ければ、駆動装置内１における物理的な制約が少なくなるので、平滑コンデンサ１４の寸法を当該方向に拡大することが可能となる。
【００６７】
（２）上記の実施形態においては、第一回転電機ＭＧ１及び遊星歯車装置ＰＧを入力同軸部品として、インバータユニット１２が、第一回転電機ＭＧ１及び遊星歯車装置ＰＧの下方であって、かつ、ファイナルドリブンギヤ２７の回転軸方向から見た軸方向視で、インバータユニット１２の一部がファイナルドリブンギヤ２７と重複する位置に配置されている例について説明した。しかし、第一回転電機ＭＧ１及び遊星歯車装置ＰＧのいずれか一方のみを入力同軸部品としても良い。また、入力軸Ｉと同軸上に配置される部品であれば、第一回転電機ＭＧ１以外の部品を入力同軸部品としても良く、入力軸Ｉそれ自体、或いは、例えば第二回転電機ＭＧ２等を入力同軸部品として、当該入力同軸部品の下方にインバータユニット１２が配置される構成とすることも、本発明の好適な実施形態の一つである。
【００６８】
（３）上記の実施形態においては、制御装置１１が、インバータユニット１２と平滑コンデンサ１４とにより構成されている例について説明した。しかし、電気室Ｒ２に収容可能な範囲内で、必要に応じて、バッテリの電源ノイズを除去するためのノイズフィルタや、バッテリからの入力電圧を昇圧するための昇圧回路を構成するためのリアクトル等を備え、これらを第一構成部品や第二構成部品としても良い。
【００６９】
（４）上記の実施形態においては、差動歯車装置として、サンギヤｓとキャリアｃａとリングギヤｒとを備える遊星歯車装置ＰＧを用いる例について説明した。しかし、例えば、互いに噛合する複数の傘歯車を用いた差動歯車装置等を用いても良い。
【００７０】
（５）上記の実施形態においては、差動歯車装置として、キャリアｃａに支持されるピニオンギヤが、サンギヤｓ及びリングギヤｒの双方に噛合するシングルピニオン型の遊星歯車装置ＰＧを用いる例について説明した。しかし、キャリアｃａに支持され、互いに噛合する二つのピニオンギヤのうち、一方がサンギヤｓに噛合し他方がリングギヤｒに噛合するダブルピニオン型の遊星歯車装置ＰＧを用いることもできる。
【００７１】
（６）上記の実施形態においては、本発明に係る駆動装置１を、ＦＦ（Front Engine Front Drive）車両に適用する場合を例として説明した。しかし、本発明は、車両Ｃに横置きされるエンジンＥに対して車両Ｃの幅方向に隣接して配置され、エンジンＥの出力軸Ｅｏの軸方向に連結される駆動装置１に採用可能な構成として適しており、例えば、ＲＲ（Rear Engine Rear Drive）車両やＭＲ（Midship Engine Rear Drive）車両等に適用しても好適である。
【産業上の利用可能性】
【００７２】
本発明は、エンジンに接続される入力軸と、回転電機と、前記回転電機に接続される第一回転要素と、前記入力軸に接続される第二回転要素と、出力回転要素となる第三回転要素と、を備える差動歯車装置と、前記回転電機の制御を行う制御装置と、前記出力回転要素に接続されるファイナルドリブンギヤを備え、当該ファイナルドリブンギヤの回転駆動力を出力軸へ伝達する駆動出力装置と、を備えた駆動装置に好適に利用することができる。
【図面の簡単な説明】
【００７３】
【図１】本発明の実施形態に係る駆動装置の軸方向に垂直な平面における断面図
【図２】本発明の実施形態に係る駆動装置を第一軸の下方から見た下面図
【図３】本発明の実施形態に係る駆動装置を第一軸の側方から見た側面図
【図４】本発明の実施形態に係る駆動装置の展開断面図
【図５】駆動装置を上方から見たときの各構成部品の配置を概略的に示す模式図
【図６】車両内での駆動装置の配置を概略的に示す模式図
【符号の説明】
【００７４】
１        駆動装置
２        ケース
１１      制御装置
１２      インバータユニット
１３ａ    端子
１４      平滑コンデンサ
１７      端子
２４      カウンタドリブンギヤ
２５      カウンタシャフト
２６      ファイナルドライブギヤ
２７      ファイナルドリブンギヤ
Ｅ        エンジン
Ｉ        入力軸
ＭＧ１    第一回転電機
ＭＧ２    第二回転電機
ＰＧ      遊星歯車装置
ｃａ      キャリア
ｓ        サンギヤ
ｒ        リングギヤ
ＤＦ      駆動出力装置
ＤＦｏ    出力軸
ＤＦｃ    駆動出力装置の中心部
Ｒ１      機械室
Ｒ２      電気室
【図１】
0004968543.tif 000002
【図２】
0004968543.tif 000003
【図３】
0004968543.tif 000004
【図４】
0004968543.tif 000005
【図５】
0004968543.tif 000006
【図６】
0004968543.tif 000007